(57)【要約】  サイドフレームの支持剛性を高めると共に、他の構成品と干渉しないように弾性部材を取り付け可能な取付部材を備えた車両用シートを提供する。  車両用シートＳは、骨格となるクッションフレーム１０を有するシートクッション３を備えている。クッションフレーム１０は、左右両端に配設された左右のサイドフレーム１１と、該左右のサイドフレーム１１を連結した第一弾性部材１４ａとを備えている。サイドフレーム１１の内側面に取付部材２０が取り付けられ、取付部材２０は、第一弾性部材１４ａの延出方向の端部を係止するスプリング係止部２６を備えている。
2014045420.tif 000002
【特許請求の範囲】
【請求項１】
骨格となるクッションフレームを有するシートクッションを備え、
前記クッションフレームは、左右両端に配設された左右のサイドフレームと、該左右のサイドフレームを連結した弾性部材と、を備え、
前記サイドフレームの内側面に取付部材が取り付けられ、
該取付部材は、前記弾性部材の延出方向の端部を係止するスプリング係止部を備えることを特徴とする車両用シート。
【請求項２】
前記取付部材は、前記サイドフレームと締結するフレーム締結部を備え、
該フレーム締結部は、前記スプリング係止部の上方に設けられていることを特徴とする請求項１に記載の車両用シート。
【請求項３】
前記弾性部材は、第一弾性部材であり、
前記フレーム締結部は、第一フレーム締結部であり、
前記取付部材は、前記第一フレーム締結部と異なる領域であって、該第一フレーム締結部よりも前方に配設された第二フレーム締結部を備え、
該第二フレーム締結部は、前後方向において、前記第一弾性部材と、該第一弾性部材よりも前方に配設された第二弾性部材との間に設けられていることを特徴とする請求項２に記載の車両用シート。
【請求項４】
車体に取り付けられる支持ベースに、シートクッションを昇降可能に連結するハイトリンク機構を備え、
該ハイトリンク機構は、前記シートクッションの昇降を規制するハイトブレーキを備え、
前記取付部材は、前記ハイトブレーキを取り付けるためのブレーキ支持部を備え、
該ブレーキ支持部が形成された領域は、前記取付部材のうち、前記スプリング係止部と異なる領域に設けられていることを特徴とする請求項１乃至請求項３いずれか記載の車両用シート。
【請求項５】
前記ハイトリンク機構は、前記支持ベースと前記サイドフレームを連結するリンクを備え、
該リンクは、前記支持ベースと連結する領域に、リンク駆動軸を備え、
前記取付部材には、前記リンク駆動軸が備えられた領域との干渉を避けるための切欠き部が形成されていることを特徴とする請求項４に記載の車両用シート。
【請求項６】
前記取付部材は、前記リンクよりも左右内側に設けられていることを特徴とする請求項５に記載の車両用シート。
【請求項７】
前記スプリング係止部は、折り曲げられた折り曲げ部を備え、
該折り曲げ部は左右内側に突出され、
前記弾性部材の端部は、前記折り曲げ部に囲まれた領域に係止されることを特徴とする請求項１乃至請求項６いずれか記載の車両用シート。
【請求項８】
前記サイドフレームの内側面に左右内側に窪んだ凹部が設けられ、
前記第一フレーム締結部及び前記第二フレーム締結部は、前記取付部材と前記凹部を連結することを特徴とする請求項３乃至請求項７いずれか記載の車両用シート。
【請求項９】
前記取付部材は、左右内側に突出するフランジ部が設けられ、
該フランジ部は、前記取付部材のうち、前後方向に前記スプリング係止部が備えられた領域を避けて配置されていることを特徴とする請求項１乃至請求項８いずれか記載の車両用シート。
【請求項１０】
前記取付部材は、前記スプリング係止部の上面に、上側に突出した凸状のビードを備えることを特徴とする請求項１乃至請求項９いずれか記載の車両用シート。
【発明の詳細な説明】
【技術分野】
【０００１】
本発明は、車両用シートに係り、特に、車両用シートの高さ調整を可能とするハイトリンク機構を備えた車両用シートに関する。
【背景技術】
【０００２】
従来、車両用シートにハイトリンク機構を設けることにより、車両用シートの高さを調整可能にしたものが種々提案されている。
ハイトリンク機構は、例えば、車体に固定された支持ベースと車両用シートの間であって、シート前方側の左右に一対のフロントリンクと、シート後方側の左右に一対のリアリンクとを備えており、片方のリアリンクが駆動リンクとなってシートの高さを調整可能にする構成となっている。また、駆動リンクの左右方向の外側には、ハイトリンク機構の駆動を操作する操作レバーが設けられ、駆動リンクと操作レバーの間には、ハイトリンク機構の駆動を規制するハイトブレーキが設けられている。このようなハイトリンク機構を備えた車両用シートとして、特許文献１に記載のようなものが知られている。【０００３】
特許文献１に記載の車両用シートは、支持ベースに対してシートクッションを昇降可能な状態にリンク連結するハイトリンク機構を備えている。このハイトリンク機構は、図６に示すように、シートクッションの骨格となる左右両端に配設された一対のサイドフレーム１００に対して前方側端部に連結された一対のフロントリンクと、後方側端部に連結された一対のリアリンク１０１とを備えている。
左右のリアリンク１０１のうち、右リアリンク１０２がハイトリンク機構の駆動リンクとなり、右リアリンク１０２の外縁部の一部にはセクターギア部１０３が形成されている。
セクターギア部１０３は、サイドフレーム１００に軸支されたピニオンギア１０４と噛み合うように配置されており、ピニオンギア１０４は、駆動軸を介して、サイドフレーム１００の外側に設けられた操作レバー１０５と連結されている。
また、サイドフレーム１００と操作レバー１０５の間にはハイトブレーキ１０６が設けられており、ハイトブレーキ１０６は、操作レバー１０５の非操作時には操作レバー１０５の位置を保持する機構を有する。
従って、操作レバー１０５を持ち上げることによって、ピニオンギア１０４が正回転し、セクターギア部１０３を介してシートクッションが上昇する。また、操作レバー１０５を押し下げることによって、ピニオンギア１０４が逆回転し、セクターギア部１０３を介してシートクッションが降下する。【０００４】
さらに、サイドフレーム１００の左右方向の内側には、支持アーム１０７が設けられている。支持アーム１０７は、前方部１０８においてサイドフレーム１００に連結固定され、後方部１０９において右リアリンク１０２を挟持するようにサイドフレーム１００に連結固定され、中央部１１０においてピニオンギア１０４及びハイトブレーキ１０６の駆動軸を支持するように構成されている。支持アーム１０７を取り付けることで、サイドフレーム１００の剛性を高めると共に、ハイトリンク機構の支持剛性を高めている。
【先行技術文献】
【特許文献】
【０００５】
【特許文献１】特開２０１１−２４６０２４号公報
【発明の概要】
【発明が解決しようとする課題】
【０００６】
しかし、特許文献１のようなハイトリンク機構を備えた車両用シートでは、サイドフレーム１００の内側に支持アーム１０７を設けることによって、ハイトリンク機構と連結されたサイドフレーム１００の支持剛性を高めているものの、左右のサイドフレーム１００を左右方向に連結し、着座した乗員を下方から支持する弾性部材との取付位置の関係については配慮されていなかった。そのため、シートクッションがハイトリンク機構によって昇降移動する際に、弾性部材の取付位置によってはハイトリンク機構の構成品と干渉する恐れがあった。
そこで、ハイトリンク機構と連結されたサイドフレームの支持剛性を高めると共に、他の構成品と干渉しないように弾性部材を取り付け可能な取付部材をサイドフレームの内側に備えた車両用シートが望まれていた。同時に取付部材全体の剛性、特に取付部材のうち、弾性部材の係止部を備える領域の剛性を確保した車両用シートが望まれていた。【０００７】
また、特許文献１のような車両用シートでは、サイドフレーム１００の内側に支持アーム１０７を設けて、サイドフレーム１００に連結されたハイトリンク機構の支持剛性を高めているものの、最近では、乗員の着座時に加わる荷重のほか、車両衝突時の衝撃荷重等によっても変形しない剛性がハイトリンク機構に要求され、ハイトリンク機構の支持剛性、特にハイトブレーキの駆動軸とリンクのセクターギア部の駆動軸の軸間のずれを抑制できる支持剛性の確保が望まれていた。【０００８】
さらに、特許文献１のような車両用シートでは、サイドフレーム１００に支持アーム１０７を設けて、ハイトリンク機構の支持剛性を高めているものの、乗員の着座時に加わる荷重のほか、車両の衝突時に加わる衝撃荷重等によって、セクターギア部１０３とピニオンギア１０４との噛み合い部に大きな力が作用することになり、セクターギア部１０３が左右方向の軸線方向に倒れ、ピニオンギア１０４との噛み合いがずれて強度が低下する恐れがあった。
そこで、リアリンクのセクターギア部とピニオンギアの噛み合いがずれて変形することを抑制可能なハイトリンク機構を備えた車両用シートが望まれていた。【０００９】
本発明は、上記の課題に鑑みてなされたものであり、本発明の目的は、ハイトリンク機構と連結されたサイドフレームの支持剛性を高めると共に、他の構成品と干渉しないように弾性部材を取り付け可能な取付部材を備えた車両用シートを提供することにある。
本発明の他の目的は、サイドフレームの内側に取り付けられた取付部材全体の剛性、特に取付部材のうち、ハイトブレーキの駆動軸を支持する領域及び弾性部材の係止部を備える領域の剛性を向上させた車両用シートを提供することにある。
本発明の他の目的は、サイドフレームに連結されたハイトリンク機構の支持剛性、特にハイトブレーキの駆動軸とセクターギア部の駆動軸の軸間のずれを抑制できる支持剛性を確保した車両用シートを提供することにある。
本発明の他の目的は、リアリンクのセクターギア部とピニオンギアの噛み合いがずれて変形することを抑制可能なハイトリンク機構付きの車両用シートを提供することにある。
【課題を解決するための手段】
【００１０】
前記課題は、本発明の車両用シートによれば、骨格となるクッションフレームを有するシートクッションを備え、前記クッションフレームは、左右両端に配設された左右のサイドフレームと、該左右のサイドフレームを連結した弾性部材と、を備え、前記サイドフレームの内側面に取付部材が取り付けられ、該取付部材は、前記弾性部材の延出方向の端部を係止するスプリング係止部を備えること、により解決される。【００１１】
このように、サイドフレームの内側面に取付部材が取り付けられ、取付部材は、弾性部材の延出方向の端部を係止するスプリング係止部を備えるため、サイドフレームの支持剛性を保持すると共に、他の構成品と干渉しないように弾性部材を取り付け可能な取付部材を備えた車両用シートを提供することができる。【００１２】
このとき、前記取付部材は、前記サイドフレームと締結するフレーム締結部を備え、該フレーム締結部は、前記スプリング係止部の上方に設けられていると良い。
このように、サイドフレームの内側面に取り付けられた取付部材のうち、弾性部材の係止部を備える領域の上方に、サイドフレームと締結するフレーム締結部を備える領域が設けられているため、取付部材全体の剛性、特に取付部材のうち、弾性部材の係止部を備える領域の剛性を向上できる。【００１３】
このとき、前記弾性部材は、第一弾性部材であり、前記フレーム締結部は、第一フレーム締結部であり、前記取付部材は、前記第一フレーム締結部と異なる領域であって、該第一フレーム締結部よりも前方に配設された第二フレーム締結部を備え、該第二フレーム締結部は、前後方向において、前記第一弾性部材と、該第一弾性部材よりも前方に配設された第二弾性部材との間に設けられていると良い。
このように、第二フレーム締結部は、前後方向において、第一弾性部材と、第一弾性部材よりも前方に配設された第二弾性部材との間に設けられているため、取付部材の前方側が第二フレーム締結部によりサイドフレームと締結されることにより、取付部材全体の剛性を一層向上できる。
また、第二フレーム締結部が、第一弾性部材と第二弾性部材の間に配置されているため、第一弾性部材のみが、左右のサイドフレームの内側面に取り付けられた取付部材に係止されるようになる。その場合、乗員の着座時に加わる荷重に対して第一弾性部材が第二弾性部材よりも適度に弾性変形するように設定できる。【００１４】
このとき、車体に取り付けられる支持ベースに、シートクッションを昇降可能に連結するハイトリンク機構を備え、該ハイトリンク機構は、前記シートクッションの昇降を規制するハイトブレーキを備え、前記取付部材は、前記ハイトブレーキを取り付けるためのブレーキ支持部を備え、該ブレーキ支持部が形成された領域は、前記取付部材のうち、前記スプリング係止部と異なる領域に設けられていると良い。
このように、車体に取り付けられる支持ベースに、シートクッションを昇降可能に連結するハイトリンク機構を備え、ハイトリンク機構は、シートクッションの昇降を規制するハイトブレーキを備え、取付部材は、ハイトブレーキを取り付けるためのブレーキ支持部を備えているため、取付部材によってハイトブレーキを支持することができ、サイドフレームに連結されたハイトリンク機構の支持剛性、特にハイトブレーキの駆動軸とセクターギア部の駆動軸の軸間のずれを抑制して支持可能な剛性を確保できる。
また、ブレーキ支持部が形成された領域は、取付部材のうち、スプリング係止部と異なる領域に設けられているため、ブレーキ支持部が形成された領域と弾性部材係止部を備える領域とが重なることがないため応力集中がなく、取付部材全体の剛性を保持できる。【００１５】
このとき、前記ハイトリンク機構は、前記支持ベースと前記サイドフレームを連結するリンクを備え、該リンクは、前記支持ベースと連結する領域に、リンク駆動軸を備え、前記取付部材には、前記リンク駆動軸が備えられた領域との干渉を避けるための切欠き部が形成されていると良い。
このように、取付部材には、リンクの駆動軸が備えられた領域との干渉を避けるための切欠き部が形成されているため、シートクッションがハイトリンク機構によって最も低い高さまで達したときであっても、取付部材がリンクの駆動軸が備えられた領域と干渉することがなくなるため、シートクッションがスムーズに昇降移動できる。
また、取付部材のうち、リンクの駆動軸が備えられた領域との干渉を避けるために必要な領域にのみ切欠き部が設けられているため、取付部材全体の剛性を保持できる。【００１６】
このとき、前記取付部材は、前記リンクよりも左右内側に設けられていると良い。
このように構成されているため、シートクッションがハイトリンク機構によって最も低い高さまで達したときであっても、取付部材の左右内側面に係止された第一弾性部材とリンクとが干渉することがなくなるため、シートクッションがスムーズに昇降移動できる。
また、取付部材はリンクよりも左右内側に設けられているため、取付部材が、ハイトブレーキを支持するだけでなく、リンクのセクターギア部と噛み合わされるピニオンギアも同時に支持することが可能な配置となる。すなわち、左右方向においてリアリンクのセクターギア部とピニオンギアの噛み合いがずれて変形することを抑制でき、さらにハイトブレーキの駆動軸とセクターギア部の駆動軸の軸間のずれを抑制可能な配置となる。【００１７】
このとき、前記スプリング係止部は、折り曲げられた折り曲げ部を備え、該折り曲げ部は左右内側に突出され、前記弾性部材の端部は、前記折り曲げ部に囲まれた領域に係止されると良い。
このように構成されているため、取付部材の左右内側に設けられたスプリング係止部の折り曲げ部に囲まれた領域に、左右方向に蛇行して延出する線状部材からなる弾性部材の端部を容易に挿入して係止することが可能になる。【００１８】
このとき、前記サイドフレームの内側面に左右内側に窪んだ凹部が設けられ、前記第一フレーム締結部及び前記第二フレーム締結部は、前記取付部材と前記凹部を連結すると良い。
このように、取付部材は、サイドフレームの内側面のうち、左右内側に窪んだ凹部の位置で締結されているため、取付部材に支持された領域においてサイドフレームの剛性を更に向上できる。
また、左右方向においてサイドフレームと取付部材の間であって、前後方向において第一フレーム締結部及び第二フレーム締結部の後方にリンクを設けることが可能な配置となるので、コンパクトな配置となる。【００１９】
このとき、前記取付部材は、左右内側に突出するフランジ部が設けられ、該フランジ部は、前記取付部材のうち、前後方向に前記スプリング係止部が備えられた領域を避けて配置されていると良い。
このように構成されているため、第一弾性部材が、着座した乗員を下方から支持するために上下方向に弾性変形する際に、この第一弾性部材とフランジ部が干渉しないように配置することができる。同時に、取付部材の剛性を向上することができる。【００２０】
このとき、前記取付部材は、前記スプリング係止部の上面に、上側に突出した凸状のビードを備えると良い。
このように構成されているため、取付部材のうち、スプリング係止部を備える領域においてビードにより剛性を向上でき、第一弾性部材を安定して係止することができる。
【発明の効果】
【００２１】
請求項１の発明によれば、サイドフレームの内側面に取付部材が取り付けられ、取付部材は、弾性部材の延出方向の端部を係止するスプリング係止部を備えるため、サイドフレームの支持剛性を保持すると共に、他の構成品と干渉しないように弾性部材を取り付け可能な取付部材を備えた車両用シートを提供することができる。【００２２】
請求項２の発明によれば、サイドフレームの内側面に取り付けられた取付部材のうち、弾性部材の係止部を備える領域の上方に、サイドフレームと締結するフレーム締結部を備える領域が設けられているため、取付部材全体の剛性、特に取付部材のうち、弾性部材の係止部を備える領域の剛性を向上できる。
請求項３の発明によれば、第二フレーム締結部は、前後方向において、第一弾性部材と、第一弾性部材よりも前方に配設された第二弾性部材との間に設けられているため、取付部材の前方側が第二フレーム締結部によりサイドフレームと締結されることにより、取付部材全体の剛性を一層向上できる。
また、第二フレーム締結部が、第一弾性部材と第二弾性部材の間に配置されているため、第一弾性部材のみが、左右のサイドフレームの内側面に取り付けられた取付部材に係止されるようになる。その場合、乗員の着座時に加わる荷重に対して第一弾性部材が第二弾性部材よりも適度に弾性変形するように設定できる。【００２３】
請求項４の発明によれば、車体に取り付けられる支持ベースに、シートクッションを昇降可能に連結するハイトリンク機構を備え、ハイトリンク機構は、シートクッションの昇降を規制するハイトブレーキを備え、取付部材は、ハイトブレーキを取り付けるためのブレーキ支持部を備えているため、取付部材によってハイトブレーキを支持することができ、サイドフレームに連結されたハイトリンク機構の支持剛性、特にハイトブレーキの駆動軸とセクターギア部の駆動軸の軸間のずれを抑制して支持可能な剛性を確保できる。
また、ブレーキ支持部が形成された領域は、取付部材のうち、スプリング係止部と異なる領域に設けられているため、ブレーキ支持部が形成された領域と弾性部材係止部を備える領域とが重なることがないため応力集中がなく、取付部材全体の剛性を保持できる。【００２４】
請求項５の発明によれば、取付部材には、リンクの駆動軸が備えられた領域との干渉を避けるための切欠き部が形成されているため、シートクッションがハイトリンク機構によって最も低い高さまで達したときであっても、取付部材がリンクの駆動軸が備えられた領域と干渉することがなくなるため、シートクッションがスムーズに昇降移動できる。
また、取付部材のうち、リンクの駆動軸が備えられた領域との干渉を避けるために必要な領域にのみ切欠き部が設けられているため、取付部材全体の剛性を保持できる。
請求項６の発明によれば、シートクッションがハイトリンク機構によって最も低い高さまで達したときであっても、取付部材の左右内側面に係止された第一弾性部材とリンクとが干渉することがなくなるため、シートクッションがスムーズに昇降移動できる。
また、取付部材はリンクよりも左右内側に設けられているため、取付部材が、ハイトブレーキを支持するだけでなく、リンクのセクターギア部と噛み合わされるピニオンギアも同時に支持することが可能な配置となる。すなわち、左右方向においてリアリンクのセクターギア部とピニオンギアの噛み合いがずれて変形することを抑制でき、さらにハイトブレーキの駆動軸とセクターギア部の駆動軸の軸間のずれを抑制可能な配置となる。【００２５】
請求項７の発明によれば、取付部材の左右内側に設けられたスプリング係止部の折り曲げ部に囲まれた領域に、左右方向に蛇行して延出する線状部材からなる弾性部材の端部を容易に挿入して係止することが可能になる。【００２６】
請求項８の発明によれば、取付部材は、サイドフレームの内側面のうち、左右内側に窪んだ凹部の位置で締結されているため、取付部材に支持された領域においてサイドフレームの剛性を更に向上できる。
また、左右方向においてサイドフレームと取付部材の間であって、前後方向において第一フレーム締結部及び第二フレーム締結部の後方にリンクを設けることが可能な配置となるので、コンパクトな配置となる。
請求項９の発明によれば、第一弾性部材が、着座した乗員を下方から支持するために上下方向に弾性変形する際に、この第一弾性部材とフランジ部が干渉しないように配置することができる。同時に、取付部材の剛性を向上することができる。【００２７】
請求項１０の発明によれば、取付部材のうち、スプリング係止部を備える領域においてビードにより剛性を向上でき、第一弾性部材を安定して係止することができる。
【図面の簡単な説明】
【００２８】
【図１】本発明に係る車両用シートの概略斜視図である。
【図２】本発明に係るシートクッションのクッションフレームの概略斜視図である。
【図３】図２のクッションフレームのうち、左取付部材を説明する要部拡大図である。
【図４】図２のクッションフレームのうち、右取付部材を説明する要部拡大図である。
【図５】図２のクッションフレームを別の角度から見た概略斜視図である。
【図６】従来例のハイトリンク機構を備えた車両用シートの説明図である。
【発明を実施するための形態】
【００２９】
以下、本発明の実施形態について図を参照して説明する。なお、以下に説明する部材、配置等は、本発明を限定するものではなく、本発明の趣旨に沿って各種改変することができる。
【００３０】
本実施形態は、シートクッションのサイドフレームの左右内側に取付部材が設けられ、この取付部材に左右のサイドフレームの間を左右方向に延出する弾性部材の端部を取り付けたことを特徴とするハイトリンク機構付きの車両用シートの発明に関するものである。
本実施形態の車両用シートＳは、図１に示すように、シートバック１と、シートバック１の上面側に配置されたヘッドレスト２と、シートバック１の前側に配置されたシートクッション３とから主に構成されている。
なお、車両用シートＳのシートバック１に対して乗員が着座する側が前側となる。
【００３１】
シートバック１は、乗員の背中を後方から支持する背もたれ部であって、骨格となる不図示のシートバックフレームに、クッションパッド１ａを載置して、表皮１ｂで被覆されて構成されている。
ヘッドレスト２は、乗員の頭を後方から支持する頭部であって、芯材となる不図示のピラーにクッションパッド２ａを配設させて表皮２ｂで被覆して形成される。
【００３２】
シートクッション３は、乗員を下方から支持する着座部であって、骨格となるクッションフレーム１０に、クッションパッド３ａを載置して、クッションパッドの上から表皮３ｂによって被覆されて構成されている。
クッションフレーム１０はレール機構４に支持されており、レール機構４は、図１に示すように、車体フロアに対して固定されたロアレール４ａと、ロアレール４ａと係合しロアレール４ａ上を前後方向にスライド移動可能なアッパーレール４ｂとを有する。
レール機構４は、特許請求の範囲の支持ベースに相当する。
【００３３】
また、クッションフレーム１０とレール機構４との間には、車両用シートＳの高さを調節するハイトリンク機構５が設けられている。
ハイトリンク機構５は、図２に示すように、クッションフレーム１０とアッパーレール４ｂを連結するリンク４０を備えており、リンク４０は、前方側の左右に一対のフロントリンク４１と、後方側の左右に一対のリアリンク５０とを備えている。リアリンク５０のうち、左側の左リアリンク５１が駆動リンクとなってシートクッション３の高さを調整可能にする構成となっている。また、左リアリンク５１の左右方向の外側には、ハイトリンク機構の駆動を操作する操作レバー５７が設けられ、左リアリンク５１と操作レバー５７の間にハイトリンク機構の駆動を規制するハイトブレーキ６０とが設けられている。
【００３４】
クッションフレーム１０は、シートクッション３の骨格となる略矩形状の枠体からなり、図２に示すように、左右両端に配設された左右のサイドフレーム１１と、各サイドフレーム１１の前方側の上面に架設された板状フレームとしてのパンフレーム１２と、各サイドフレーム１１の後方側端部の近くに架設されたフレーム連結部材１３と、各サイドフレーム１１の前後方向の略中央を連結する弾性部材１４とを備えている。
【００３５】
各サイドフレーム１１は、前後方向に延出する板金部材からなり、左側の左サイドフレーム１１ａと、右側の右サイドフレーム１１ｂとは、互いに平行な状態で左右方向に離間している。
各サイドフレーム１１の前方側の上面には、左右方向に延出するパンフレーム１２が連結固定されている。
パンフレーム１２は、乗員の腿を支持する金属製フレームからなり、上面が略平坦な略矩形状に形成されている。
パンフレーム１２は、前方側であって左右方向の両端部に一対の折れ曲がり部１２ａを有している。パンフレーム１２は、各折れ曲がり部１２ａが各サイドフレーム１１前方の上面に引っ掛けられており、パンフレーム１２の左右両端部の下面と各サイドフレーム前方側の上面とが固着接合されている。
【００３６】
各サイドフレーム１１の後方端部の左右内側面には、左右方向に延出するフレーム連結部材１３が連結固定されている。
フレーム連結部材１３は、左右のサイドフレーム１１を連結する縦断面略円形状のパイプ部材からなる。フレーム連結部材１３の左側端部が、図３に示すように、左サイドフレーム１１ａの左右方向の内側面に取り付けられた取付部材２０を介して、左サイドフレーム１１ａと連結されており、フレーム連結部材１３の右側端部が、図４に示すように、右リアリンク５２を介して、右サイドフレーム１１ｂと連結されている。
【００３７】
各サイドフレーム１１の前後方向の略中央であって、前後方向においてパンフレーム１２とフレーム連結部材１３の間には、複数の弾性部材１４が前後方向に所定の間隔をおいて配設され、左右方向に略平行となるように蛇行しながら延出している。
各弾性部材１４は、クッションパッド３ａを下方から支持する弾性スプリングであり、Ｓバネまたはジグザグバネと呼ばれる波形状の線状部材からなる。
なお、本実施形態の弾性部材１４は弾性スプリングからなるが、これに限定されることなく、代わりに弾性ゴム等の弾性体を用いても良い。
各弾性部材１４のうち、後方側に設けられた第一弾性部材１４ａは、図３及び図４に示すように、左右両端部が左右のサイドフレーム１１の内側面に取り付けられた取付部材２０に掛け止めされることによって、左右のサイドフレーム１１と連結されている。
【００３８】
第一弾性部材１４ａよりも前方側に設けられた第二弾性部材１４ｂは、図２に示すように、左右両端部が左右のサイドフレーム１１の内側面に掛け止めされることによって、左右のサイドフレーム１１と連結されている。
具体的には、左右のサイドフレーム１１の内側面には、左右内側に窪んだ凹部が設けられており、各凹部の左右内側端部には、前後方向に貫通する貫通穴が設けられている。第二弾性部材１４ｂは、左右両端部がこの貫通穴に挿入され掛け止めされることにより、左右のサイドフレーム１１と連結される。
【００３９】
なお、本実施形態では、第二弾性部材１４ｂは左右のサイドフレーム１１の内側面に連結されているが、別の実施形態として、第二弾性部材１４ｂが第一弾性部材１４ａと同様に取付部材２０に掛け止めされていても良い。
その場合、取付部材２０は前後方向にさらに延出するように形成されて、第二弾性部材１４ｂよりも前方側の端部が各サイドフレーム１１と連結固定されることとなる。
このように第二弾性部材１４ｂが取付部材２０を介して各サイドフレーム１１と連結される構成にすることで、第二弾性部材１４ｂも、各サイドフレーム１１に直接連結される場合と比較して、適度に弾性変形するように設定可能となる。そのため、着座する乗員の快適性を向上できるように適宜調整することができる。
【００４０】
第一弾性部材１４ａは、左右方向において左右のサイドフレーム１１の内側に取り付けられた取付部材２０に掛け止めされているため、各サイドフレーム１１に取り付けられる場合と比較して、第一弾性部材１４ａの左右方向の長さを短くできる。
さらに、第一弾性部材１４ａの上下方向の弾性変形量を保持するために、第一弾性部材１４ａの長さを短くした分だけ線径を細くすることができる。
そのため、左右のサイドフレーム１１の内側に第一弾性部材１４ａをコンパクトに配置することができ、また第一弾性部材１４ａの材料費を削減することができる。
【００４１】
取付部材２０は、サイドフレーム１１の剛性を高めると共に、他の構成品と干渉しないように弾性部材１４を取り付け可能な板金部材であって、図３及び図４に示すように、前後方向に延出している。
取付部材２０は、上下方向において左右のサイドフレーム１１の上端と下端との間にあって、左右内側面に取り付けられており、左サイドフレーム１１ａの内側面に取り付けられた左側取付部材２１と、右サイドフレーム１１ｂの内側面に取り付けられた右側取付部材３０とから構成されている。
【００４２】
左側取付部材２１は、図３に示すように、クランク状に折り曲げられた形状からなり、中央より前方寄りの位置で折り曲げられた段差部２２を介して、前方側よりも後方側が左右内側に突出するように形成されている。
左側取付部材２１は、左右内側に突出するフランジ部２３を備えており、フランジ部２３は、前方フランジ部２３ａと、後方フランジ部２３ｃとから構成されている。
前方フランジ部２３ａは前方側の下端部に設けられており、後方フランジ部２３ｃは後方側の上下両端部に設けられている。前方フランジ部２３ａよりも後方フランジ部２３ｃは左右内側に大きく突出している。
【００４３】
なお、前方フランジ部２３ａ、後方フランジ部２３ｃの左右内側に突出する突出量は、これに限定されることなく変更することができる。各フランジ部２３の突出量を大きくすることによって、各フランジ部２３を備える領域の剛性を向上させることが可能である。
また、シートクッション３がハイトリンク機構５によって昇降移動する際に、各フランジ部２３を備える領域が他の構成部品と干渉しない範囲内で、別途フランジ部を設けても良いし、このフランジ部が左右外側に突出するように配置されても良い。
【００４４】
左側取付部材２１は、左サイドフレーム１１ａと連結するための中央フレーム締結部２４及び前方フレーム締結部２５と、フレーム連結部材１３を連結する領域と、第一弾性部材１４ａの左端部と連結するためのスプリング係止部２６と、ハイトブレーキ６０の駆動軸を支持するブレーキ支持部２８とから構成されている。
中央フレーム締結部２４は、特許請求の範囲の第一フレーム締結部に相当し、前方フレーム締結部２５は、特許請求の範囲の第二フレーム締結部に相当する。
【００４５】
中央フレーム締結部２４は、図３に示すように、左側取付部材２１のうち、前後方向において略中央より前方寄りの位置に設けられており、左サイドフレーム１１ａの内側面であって、左右内側に窪んだ凹部と当接されて締結ボルトにより固定されている。
前方フレーム締結部２５は、左側取付部材２１のうち、中央フレーム締結部２４よりも前方の端部であって、前方フランジ部２３ａの上方に設けられており、左サイドフレーム１１ａの内側面であって、左右内側に窪んだ凹部と当接させて締結ボルトにより固定されている。
なお、中央フレーム締結部２４、前方フレーム締結部２５は、左サイドフレーム１１ａの内側面と締結ボルトにより固定されているが、これに限定されることなく、例えば溶接固定、特にレーザー溶接固定されていても良い。このように固定すれば、部品点数の削減が可能である。
【００４６】
フレーム連結部材１３を連結する領域は、左側取付部材２１の後方端部であって、上下方向において後方フランジ部２３ｃの間に設けられており、フレーム連結部材左端部と当接させて溶接固定されている。
なお、フレーム連結部材１３は、左側取付部材２１と溶接固定により固定されているが、これに限定されることなく、例えば締結ボルトで連結されても良い。このように連結すれば、取り外しが容易な構成となる。
【００４７】
スプリング係止部２６は、左側取付部材２１のうち、前後方向において前方フレーム締結部２５とフレーム連結部材１３の間の略中央位置であって、上下方向において中央フレーム締結部２４の下方に設けられており、左右内側に突出し、左右方向に折り曲げられた折り曲げ部を備えている。
スプリング係止部２６は、折り曲げ部に囲まれた領域に、言い換えれば前後方向に貫通する貫通穴部に第一弾性部材１４ａの左側端部を挿入させて掛け止めすることで、第一弾性部材１４ａと連結される。
左側取付部材２１は、スプリング係止部２６の上面に上側に突出した凸状のビード２７を備えており、スプリング係止部２６の支持剛性を高めている。
【００４８】
なお、スプリング係止部２６の下方に、別途左右内側に突出するフランジ部を設けても良い。
このように別途フランジ部を設けることにより、取付部材２０のうち、スプリング係止部２６が備わる領域において剛性を向上できる。
また、このフランジ部の左右内側に突出する突出量を小さく設定することにより、第一弾性部材１４ａが、着座した乗員を下方から支持するために上下方向に弾性変形する際に、このフランジ部と干渉しないようにすることができる。
【００４９】
なお、スプリング係止部２６の上面にビード２７が設けられているが、これに限定されることなく、スプリング係止部２６の下面にビードが設けられても良いし、上面及び下面の両方にビードが設けられても良い。ビードを備える領域を大きく、またはビードの数を増やすことにより、取付部材２０の剛性、特にビードを設けた領域の剛性を向上できる。
【００５０】
ブレーキ支持部２８は、左側取付部材２１のうち、前後方向において中央フレーム締結部２４とフレーム連結部材１３の間の略中央位置であって、スプリング係止部２６の上方に設けられており、左右方向に貫通する貫通穴を備えている。
ブレーキ支持部２８は、ハイトブレーキ６０の左右方向に延出するブレーキ駆動軸６１が貫通穴に挿通されることによって、ブレーキ駆動軸６１を連結軸支している。
【００５１】
左側取付部材２１は、外縁部のうち、スプリング係止部２６の下方に位置する領域に切欠き部２９が設けられている。
【００５２】
詳しく言うと、左側取付部材２１のうち、左右方向において前方フレーム締結部２５を備える領域は外側に位置し、中央フレーム締結部２４と、フレーム連結部材１３を連結する領域と、スプリング係止部２６を備える領域と、ブレーキ支持部２８を備える領域は内側に位置している。
なお、シートクッション３がハイトリンク機構５によって昇降移動する際に、各構成部品同士が干渉しない範囲内で、中央フレーム締結部２４、フレーム連結部材１３を連結する領域、スプリング係止部２６を備える領域、ブレーキ支持部２８を備える領域が、適宜それぞれ左右方向の位置関係を変更することは勿論可能である。
【００５３】
なお、左側取付部材２１は、図３に示すように、前後方向において中央フレーム締結部２４とブレーキ支持部２８の間であって、スプリング係止部２６の上方に別途段差部が設けられている。この段差部は、左右方向に折り曲げられた折れ曲がり形状からなり、上下方向に沿って延出している。そのため、中央フレーム締結部２４を備える領域、スプリング係止部２６を備える領域、及びブレーキ支持部２８を備える領域は、この段差部が備わる領域と近接しているため剛性が高くなっている。
【００５４】
右側取付部材３０は、図４に示すように、クランク状に折り曲げられた形状からなり、前後方向において後端部の近くで折り曲げられた段差部３１を介して、前方側が後方側よりも左右内側に突出するように形成されている。また、上下方向において略中央で折り曲げられた段差部３２を介して、上方側よりも下方側が左右内側に突出するように形成されている。
【００５５】
右側取付部材３０は、右サイドフレーム１１ｂと連結するための後方フレーム締結部３３及び前方フレーム締結部３４と、第一弾性部材１４ａの右端部と連結するためのスプリング係止部３５とを備えている。
後方フレーム締結部３３は、右側取付部材３０の後方端部に設けられており、右サイドフレーム１１ｂの内側面と当接させてレーザー溶接により固定されている。
前方フレーム締結部３４は、右側取付部材３０の前方側の上方端部に設けられており、右サイドフレーム１１ｂの内側面であって、左右内側に窪んだ凹部と当接させてレーザー溶接により固定されている。
なお、後方フレーム締結部３３、前方フレーム締結部３４が、他の溶接固定により連結されても良いし、締結ボルトで取り外し容易に連結されても良いことは上述の通りである。
【００５６】
スプリング係止部３５は、右側取付部材３０のうち、前方フレーム締結部３４よりも下方の端部に設けられており、左右内側に突出し、左右方向に折り曲げられた折り曲げ部を備える。
スプリング係止部３５は、折り曲げ部に囲まれた領域に、言い換えれば前後方向に貫通する貫通穴部に第一弾性部材１４ａの右側端部を挿入させて掛け止めすることで、第一弾性部材１４ａと連結される。
右側取付部材３０は、スプリング係止部３５の上面に上側に突出した凸状のビード３６を備えている。なお、ビードを備える領域を大きく、またはビードの数を増やしても良いことは上述の通りである。
【００５７】
詳しく言うと、右側取付部材３０のうち、左右方向において後方フレーム締結部３３を備える領域は外側に位置し、前方フレーム締結部３４を備える領域は内側に位置し、スプリング係止部３５はさらに内側に位置している。
なお、シートクッション３がハイトリンク機構５によって昇降移動する際に、各構成部品同士が干渉しない範囲内で、適宜それぞれ左右方向の位置関係を変更しても良い。
【００５８】
リンク４０は、シートクッション３の高さを調整可能にする部材であって、左右のサイドフレーム１１の左右内側面に取り付けられており、図２に示すように、左右のサイドフレーム１１の前端部に位置する左右のフロントリンク４１と、後端部に位置する左右のリアリンク５０の４つから構成されている。
【００５９】
各フロントリンク４１は、図２に示すように、略くの字形状からなる板金部材であって、第一リンク駆動部４２と、第二リンク駆動部４３と、リンク連結部４４とを備えている。
第一リンク駆動部４２は、各フロントリンク４１の下方端部に設けられており、アッパーレール４ｂの前方端部であって、上方に突出するように備えられた支持部と回動自在に連結軸支されている。
第二リンク駆動部４３は、各フロントリンク４１の後方端部に設けられており、各サイドフレーム１１の前方端部であって、左右内側面と回動自在に連結軸支されている。
リンク連結部４４は、各フロントリンク４１の前方端部に設けられており、各フロントリンク４１が縦断面略円形状からなるリンク連結パイプ４５で連結支持されている。各フロントリンク４１が回動する際には双方が一体的に回動することとなる。
【００６０】
各リアリンク５０は、互いに形状の異なる板金部材であって、図３に示す左リアリンク５１と、図４に示す右リアリンク５２とからなる。
左リアリンク５１は、図３に示すように、略くの字形状からなる駆動リンクであって、左右方向において左サイドフレーム１１ａと取付部材２０の間に配置されている。
【００６１】
左リアリンク５１は、図３に示すように、第一リンク駆動部５３と、第二リンク駆動部５４と、セクターギア部５５を備えている。
右リアリンク５２は、図４に示すように、細長い略矩形状からなり、第一リンク駆動部５３と、第二リンク駆動部５４とを備えている。
なお、左リアリンク５１、右リアリンク５２の形状は、これに限定されることなく、適宜変更可能であることは勿論である。
【００６２】
第一リンク駆動部５３は、各リアリンク５０の下方端部に設けられており、アッパーレール４ｂの後方端部であって、上方に突出するように備えられた支持部と回動自在に連結軸支されている。
第一リンク駆動部５３は、特許請求の範囲のリンク駆動軸に相当する。
第二リンク駆動部５４は、各リアリンク５０の後方端部に設けられており、各サイドフレーム１１の後方端部であって、左右内側面と回動自在に連結軸支されている。
【００６３】
セクターギア部５５は、左リアリンク５１の外縁の一部に歯車として形成されており、セクターギア部５５の前方に配置されたピニオンギア５６と噛み合わされている。
ピニオンギア５６は、歯車形状からなり、左右方向において左サイドフレーム１１ａと、取付部材２０のうち、ブレーキ支持部２８を備える領域との間に配置されている。
【００６４】
このように、左リアリンク５１のセクターギア部５５、ピニオンギア５６は、左右方向において左サイドフレーム１１ａと取付部材２０の間に配置されているため、左右方向にセクターギア部５５及びピニオンギア５６を傾けようとする荷重が加わった際にも、左サイドフレーム１１ａと取付部材２０によって有効に支持される。
さらに、取付部材２０は、左右方向において左リアリンク５１と対向する位置に後方フランジ部２３ｃを備えているため、取付部材２０のうち、剛性が高い後方フランジ部２３ｃを備えた領域によって左リアリンク５１及びセクターギア部５５が有効に支持されることになる。
【００６５】
ピニオンギア５６の中心部には、左右方向に貫通する貫通穴が設けられており、この貫通穴には、左右方向に延出する縦断面略円形状のブレーキ駆動軸６１が挿通されている。
ピニオンギア５６は、ブレーキ駆動軸６１を介して、左サイドフレーム１１ａの左右方向の外側に配置された操作レバー５７と連結されており、操作レバー５７の操作によってブレーキ駆動軸６１を回動軸として回動する。
つまり、操作レバー５７が操作されると、ブレーキ駆動軸６１と一体的にピニオンギア５６が回動し、ピニオンギア５６とセクターギア部５５との噛み合い位置が変化するようになる。さらに、セクターギア部５５が形成された左リアリンク５１が回動し、左リアリンク５１に従動して、右リアリンク５２、各フロントリンク４１も回動するようになる。
これによって、シートクッション３を含む車両用シートＳ本体が昇降し、シート高さが調整されることになる。
【００６６】
ハイトリンク機構５は、操作レバー５７による駆動力がピニオンギア５６に伝達されることによって左リアリンク５１が回動する機構を備え、さらにピニオンギア５６の回動を制御するハイトブレーキ６０を備えている。
ハイトブレーキ６０は、図５に示すように、公知のブレーキピニオン部材からなり、左右方向において左サイドフレーム１１ａと操作レバー５７の間に配置されている。
ハイトブレーキ６０は、左サイドフレーム１１ａの左右方向の外側面に接合されている。ハイトブレーキ６０のうち、左サイドフレーム１１ａに接合された領域は、左サイドフレーム１１ａの内側面において中央フレーム締結部２４と固定された凹部を前後方向に跨ぐようにして備えられている。詳しく言うと、ハイトブレーキ６０のうち、左サイドフレーム１１ａに接合された領域は、左サイドフレーム１１ａのうち、中央フレーム締結部２４と固定された凹部の前方側と後方側に接合箇所を備えている。
【００６７】
なお、本実施形態では、ハイトブレーキ６０のうち、左サイドフレーム１１ａに接合された領域は、左サイドフレーム１１ａのうち、中央フレーム締結部２４と固定された凹部の前方側と後方側に接合箇所を備えているが、これに限定されることなく、変更可能である。例えば、ハイトブレーキ６０のうち、左サイドフレーム１１ａに接合された領域の外縁部の全周にそって接合箇所が備えられていても良く、また左サイドフレーム１１ａのうち、中央フレーム締結部２４と固定された凹部の上方側と下方側に接合箇所を備えていても良い。
【００６８】
ハイトブレーキ６０は、中心部に左右方向に延出するブレーキ駆動軸６１を備えており、ブレーキ駆動軸６１の左右内側端部が、取付部材２０のうち、ブレーキ支持部２８を備える領域に連結支持され、ブレーキ駆動軸６１の左右外側端部が、操作レバー５７に連結支持されている。
【００６９】
詳しく言うと、ブレーキ駆動軸６１は、左右方向の外側から内側に向って順に、操作レバー５７の回動中心部と、ハイトブレーキ６０と、左サイドフレーム１１ａと、ピニオンギア５６と、取付部材２０のブレーキ支持部２８とに連結軸支されるように挿通されて配置されている。
【００７０】
ハイトブレーキ６０は、操作レバー５７の非操作時には、操作レバー５７をニュートラル状態に保持し、ブレーキ駆動軸６１に摩擦力によるブレーキをかけて回動を規制し、シート高さを保持させる不図示の機構を有する。
一方、ハイトブレーキ６０は、操作レバー５７の操作時には、操作レバー５７による駆動力を増幅させて、軽い力でブレーキ駆動軸６１に大きな駆動出力を与えられるようにトルク制御してピニオンギア５６を回動させる不図示の機構を有する。
【００７１】
本実施形態では、各サイドフレーム１１の左右内側面にそれぞれ取付部材２０が取り付けられており、第一弾性部材１４ａは、左右の取付部材２０を介して左右のサイドフレーム１１に連結された構成となっている。
このようにハイトリンク機構５を備えた車両用シートＳのサイドフレーム１１に取付部材２０を設けることによって、弾性部材１４がハイトリンク機構５と干渉することなく、着座した乗員を下方から支持するための最適な位置に配設することが可能になる。
詳しく言うと、弾性部材１４の左右両端部は、取付部材２０に係止されることによって、左右内側にオフセットされる配置となる。
そのため、シートクッション３がハイトリンク機構５によって昇降移動する際に、弾性部材１４が、リンク４０やピニオンギア５６との干渉を避けるためにずれた位置に配置できる。従って、左右のサイドフレーム１１の内側の範囲内で、弾性部材１４の配置の自由度が高くなる。
【００７２】
なお、上記各実施形態では、具体例として自動車のフロントシートについて説明したが、これに限定されることなく、自動車のミドルシート、リアシートについても適用可能であることは勿論である。
【符号の説明】
【００７３】
Ｓ  車両用シート
１  シートバック
１ａ、２ａ、３ａ  クッションパッド
１ｂ、２ｂ、３ｂ  表皮
２  ヘッドレスト
３  シートクッション
４  レール機構
４ａ  ロアレール
４ｂ  アッパーレール
５  ハイトリンク機構
１０  クッションフレーム
１１  サイドフレーム
１１ａ  左サイドフレーム 
１１ｂ  右サイドフレーム
１２  パンフレーム
１２ａ  折れ曲がり部
１３  フレーム連結部材
１４  弾性部材
１４ａ  第一弾性部材
１４ｂ  第二弾性部材
２０  取付部材
２１  左側取付部材
２２  段差部
２３  フランジ部
２３ａ  前方フランジ部
２３ｃ  後方フランジ部
２４  中央フレーム締結部
２５  前方フレーム締結部
２６  スプリング係止部
２７  ビード
２８  ブレーキ支持部
２９  切欠き部
３０  右側取付部材
３１、３２  段差部
３３  後方フレーム締結部
３４  前方フレーム締結部
３５  スプリング係止部
３６  ビード
４０  リンク
４１  フロントリンク
４２、５３  第一リンク駆動部
４３、５４  第二リンク駆動部
４４  リンク連結部
４５  リンク連結パイプ
５０  リアリンク
５１  左リアリンク
５２  右リアリンク
５５  セクターギア部
５６  ピニオンギア
５７  操作レバー
６０  ハイトブレーキ
６１  ブレーキ駆動軸
１００  サイドフレーム
１０１  リアリンク
１０２  右リアリンク
１０３  セクターギア部
１０４  ピニオンギア
１０５  操作レバー
１０６  ハイトブレーキ
１０７  支持アーム
１０８  前方部
１０９  後方部
１１０  中央部
【図１】
2014045420.tif 000003
【図２】
2014045420.tif 000004
【図３】
2014045420.tif 000005
【図４】
2014045420.tif 000006
【図５】
2014045420.tif 000007
【図６】
2014045420.tif 000008
【国際調査報告】
2014045420.tif 000009
2014045420.tif 000010
2014045420.tif 000011
2014045420.tif 000012